(57)【要約】      （修正有）【課題】開口部分の封止強度が十分に確保され、接着材が露出して他の部分に不用意にくっついてしまうことがないようにする小売り袋を提供する。【解決手段】底片部３でつながっている第一第二の一対の側片部１，２に各々形成された横長の第一の取っ手用開口４と第二の取っ手用開口５は、正面視で重なる位置に形成され、第二の取っ手用開口５は下縁から上方に突出した封止用凸片２１が形成された以外は第一の取っ手用開口４と同様の形状及び大きさである。第一の側片部１の外側面には、封止用凸片２１と横方向で同じ位置に接着材６が付着しており、接着材６の付着領域は、第一の取っ手用開口４の下縁から下側の領域であって付着領域の形状は封止用凸片２１の形状を上下逆にした形状であり、付着領域の大きさは封止用凸片２１の５０％以上９８％以下である。接着材６は、剥離紙７で覆われている。【選択図】図１
0003206546.tif 000002
【実用新案登録請求の範囲】
【請求項１】
商品を入れて店頭に並べる際に使用される小売り袋であって、
底部でつながっている第一第二の一対の側片部から成っており、
各側片部には、同じ高さの位置に取っ手用開口が形成されており、
第一の側片部に形成された第一の取っ手用開口は横に長い形状であり、
第二の側片部に形成された第二の取っ手用開口は、正面から見た際、封止用凸片が形成された以外は第一の取っ手用開口と同様の形状及び大きさであって第一の取っ手用開口と重なる位置に設けられており、
封止用凸片は、第二の取っ手用開口の下縁から上方に突出して形成された部位であり、
第一の側片部の外側面には接着材が付着しており、接着材が付着している位置は、第二の側片部の封止用凸片と横方向で同じ位置でであり、
接着材の付着領域は、第一の側片部のうち第一の取っ手用開口の下縁から下側の領域であり、
接着材は、剥離紙によって覆われており、
接着材の付着領域の形状は、封止用凸片の形状を上下逆にした形状であって、接着材の付着領域の大きさは、封止用凸片の大きさの５０％以上９８％以下であることを特徴とする小売り袋。
【請求項２】
接着材の付着領域の大きさは、封止用凸片の大きさの６０％以上９５％以下であることを特徴とする請求項１小売り袋。
【請求項３】
接着材の付着領域の大きさは、封止用凸片の大きさの７０％以上９０％以下であることを特徴とする請求項１小売り袋。
【考案の詳細な説明】
【技術分野】
【０００１】
本願の考案は、各種食品や日用品等を袋詰めして小売りする際に用いられる小売り袋に関するものである。
【背景技術】
【０００２】
スーパーマーケットや食料品店、量販店等では、食品や日用品等を袋詰めして小売りすることが行われている。例えば、ナスやピーマンのような小さめの野菜、果物等が袋詰めされて複数個単位で小売りされている。
このような袋詰めにおいて使用される袋（小売り袋）としては、塩ビのようなビニール袋が使用されることが多い。ある程度の個数の商品が詰め込まれた後、小売り袋の口がテープ等で止められ、売り場に並べられる。
【先行技術文献】
【特許文献】
【０００３】
【特許文献１】特開２０１１−１４８５４３号公報
【考案の概要】
【考案が解決しようとする課題】
【０００４】
最近におけるデフレ状況を引き合いに出すまでもなく、小売業における価格競争は厳しいものがあり、また消費者も価格に対しては非常に敏感になっている。小売価格を安くするには、仕入れを安くすることは勿論であるが、人件費等のコストの部分も無視できない大きな要素である。
上記小売り袋の点で言うと、商品を袋詰めする作業は店舗の従業員が行っているが、この作業が面倒なため、この分の人件費が商品のコストに占める割合は少なくない。袋詰めが短時間にできるようになれば、その分だけ人件費は安くできる。また、袋自体のコストはそれほど高いものではないが、結束用のテープも含めた袋詰め用材料全体のコストを少しでも安くできれば、その分だけ利益を確保することもできる。
【０００５】
このような観点から、本願の出願人は、特許文献１の小売り袋を出願している。この小売り袋は、袋詰めの作業が短時間にでき、袋詰め用材料全体のコストを下げることが可能な点で優れている。本願の考案者は、この小売り袋をさらに改良し、開口部分の封止強度が十分に確保され、接着材が露出して他の部分に不用意にくっついてしまうことがないようにすることを意図した。この出願の考案は、このように改良された小売り袋を提供することを解決課題とする。
【課題を解決するための手段】
【０００６】
上記課題を解決するため、本願の請求項１記載の考案は、商品を入れて店頭に並べる際に使用される小売り袋であって、
底部でつながっている第一第二の一対の側片部から成っており、
各側片部には、同じ高さの位置に取っ手用開口が形成されており、
第一の側片部に形成された第一の取っ手用開口は横に長い形状であり、
第二の側片部に形成された第二の取っ手用開口は、正面から見た際、封止用凸片が形成された以外は第一の取っ手用開口と同様の形状及び大きさであって第一の取っ手用開口と重なる位置に設けられており、
封止用凸片は、第二の取っ手用開口の下縁から上方に突出して形成された部位であり、
第一の側片部の外側面には接着材が付着しており、接着材が付着している位置は、第二の側片部の封止用凸片と横方向での位置が同じであり、
接着材の付着領域は、第一の側片部のうち第一の取っ手用開口の下縁から下側の領域であり、
接着材は、剥離紙によって覆われており、
接着材の付着領域の形状は、封止用凸片の形状を上下逆にした形状であって、接着材の付着領域の大きさは、封止用凸片の大きさの５０％以上９８％以下であるという構成を有する。
また、上記課題を解決するため、請求項２記載の考案は、前記請求項１の構成において、接着材の付着領域の大きさは、封止用凸片の大きさの６０％以上９５％以下であるという構成を有する。
また、上記課題を解決するため、請求項３記載の考案は、前記請求項１の構成において、接着材の付着領域の大きさは、封止用凸片の大きさの７０％以上９０％以下であるという構成を有する。
【考案の効果】
【０００７】
以下に説明する通り、本願の請求項１記載の考案によれば、接着材が封止用凸片ではなく第一の側片部に付着しているので、剥離紙が剥がれ易くなることはない。また、接着材の付着領域の大きさが封止用凸片の大きさの５０％以上であるので、封止用凸片による封止強度が十分なものとなる。また、接着材の付着領域の大きさが封止用凸片の大きさの９８％以下であるので、封止用凸片が少しずれてしまった場合でも接着材が露出してしまって不用意に他の物にくっついてしまう問題が生じにくい。
また、請求項２記載の考案によれば、上記効果に加え、接着材の付着領域の大きさが封止用凸片の大きさの６０％以上であるので、封止用凸片による封止強度がより十分なものとなる。また、接着材の付着領域の大きさが封止用凸片の大きさの９５％以下であるので、封止用凸片が少しずれてしまった場合でも接着材が露出してしまって不用意に他の物にくっついてしまう問題がより生じにくい。
また、請求項３記載の考案によれば、上記効果に加え、接着材の付着領域の大きさが封止用凸片の大きさの７０％以上であるので、封止用凸片による封止強度がさらに十分なものとなる。また、接着材の付着領域の大きさが封止用凸片の大きさの９０％以下であるので、封止用凸片が少しずれてしまった場合でも接着材が露出してしまって不用意に他の物にくっついてしまう問題がさらに生じにくい。
【図面の簡単な説明】
【０００８】
【図１】実施形態に係る小売り袋の斜視概略図である。
【図２】図１に示す小売り袋の正面概略図である。
【図３】図１に示す小売り袋の側断面概略図である。
【図４】接着材６の付着領域の大きさのバリエーションについて示した正面概略図である。
【図５】実施形態の小売り袋の使用方法について示した斜視概略図である。
【考案を実施するための形態】
【０００９】
次に、この出願の考案を実施するための形態（以下、実施形態）について説明する。
まず、実施形態について説明する。図１は、実施形態に係る小売り袋の斜視概略図、図２は図１に示す小売り袋の正面概略図、図３は図１に示す小売り袋の側断面概略図である。尚、図１は、説明の都合上、小売り袋を立てて少し開いた状態を描いている。
図１〜図３に示す小売り袋は、透明なプラスチック製の袋である。例えば、塩ビ（ポリ塩化ビニール）製である。この小売り袋は、一対の側片部１，２と、側片部１，２をつないで形成された底片部３とから成っている。以下、一対の側片部１，２を、第一の側片部１、第二の側片部２とする。尚、図２は、第一の側片部１の側から見た概略図である。
【００１０】
図１及び図３に示すように、各側片部１，２には、同じ高さの位置に取っ手用開口４，５が形成されている。第一の側片部１に形成された取っ手用開口４を第一の取っ手用開口とし、第二の側片部２に形成された取っ手用開口５を第二の取っ手用開口とする。
各取っ手用開口４，５は、取っ手用開口（取っ手を人が持つ際に人が指を入れるための開口）を形成するためのものであり、図１に示すように横に長い形状となっている。
【００１１】
第一の取っ手用開口４は、本実施形態では、横に長い長方形の左右に半円状の部分を設けたような形状（以下、本明細書ではこの形状を長円と呼ぶ）となっている。説明の都合上、各取っ手用開口４，５の周縁のうち、上側の直線部を上縁と呼び、下側の直線部を下縁と呼ぶ。
第二の取っ手用開口５は、第一の取っ手用開口４とほぼ同様の長円の形状であるが、第二の側片部２は、第二の取っ手用開口５の下縁の中央に上側に突出した部位（凸片）２１を有している。この凸片２１は、袋の封止用であり、以下、封止用凸片と呼ぶ。
【００１２】
第二の取っ手用開口５は、図１及び図２から解るように、正面から見た際、第一の取っ手用開口４と重なるようにして形成されている。即ち、第二の取っ手用開口５は、第一の取っ手用開口４と横方向及び縦方向で同じ位置に形成されている。底片部３は、未使用時には折りたたまれることが可能な構造となっており、折り畳んだ際には第一の側片部１と第二の側片部２とは全体に接触する。
尚、第二の取っ手用開口５は、図１に示すように、下縁中央において僅かに突出した部位を有する。この部位も、左右の輪郭は封止用凸片２１の左右の辺と重なるようになっている。但し、第二の取っ手用開口５の下縁は、突出した部位が無くて一直線状であっても良い。
【００１３】
そして、第一の側片部４の外側面には接着材６が付着している。図１及び図２に示すように接着材６が付着している位置は、第二の側片部２の封止用凸片２１と横方向での位置が同じである。接着材６の付着領域は、第一の側片部１のうち第一の取っ手用開口４の下縁から下側の領域である。尚、図１〜図３に示すように、接着材６は、剥離紙７によって覆われている。また、接着材６は、位置を示すためにハッチングがされているが、実際には無色透明のものが使用される。
【００１４】
接着材６の付着領域の形状は、封止用凸片２１の形状を上下逆にした形状となっている。この実施形態では、封止用凸片２１の形状は、上下を逆にしたＵ字状となっている。したがって、図１及び図２に示すように、接着材６の付着領域の形状はＵ字状（厳密にはＵ字と直線から成る形状）である。剥離紙７も、接着材６の付着領域と同じ形状であり付着領域より少し大きいものである。
【００１５】
このような接着材６の付着領域の大きさについて、図４を使用して説明する。図４は、接着材６の付着領域の大きさのバリエーションについて示した正面概略図である。
図４において、上下を逆にした状態の封止用凸片２１の形状及び大きさが実線で示されている。この状態は、後述するように、封止用凸片２１を下方に折り曲げて接着材６に接触させて接着した状態に相当している。図４に示すように、接着材６の付着領域は、封止用凸片２１の大きさよりも少し小さい。最も小さい例は、図４（１）に示すように、封止用凸片２１の５０％である。最も大きい例は、図４（２）に示すように封止用凸片２１の９８％である。また、その中間の例としては、図４（３）に示すように封止用凸片２１の８０％である。
尚、図１及び図２に示すように、接着材６の付着領域の上辺は、第一の取っ手用開口４の下縁より少し低い位置であり、後述するように封止用凸片１を折り返した際、接着材６の付着領域が封止用凸片２１に対して同心状となるようにしている。但し、接着材６の付着領域の上辺が第一の取っ手用開口４の下縁と一致させる場合もある。
【００１６】
このような実施形態の小売り袋の使用方法について、以下に説明する。図５は、実施形態の小売り袋の使用方法について示した斜視概略図である。
実施形態の小売り袋を使用する場合、図５（１）に示すように、袋を開いた状態とし、商品ｇを入れる。そして、図５（２）に示すように、第一の取っ手用開口４と第二の取っ手用開口５が重なるようにして、第一の側片部１の上側と第二の側片部２の上側を重ね合わせた状態とする。
【００１７】
次に、剥離紙７を剥がした後、図５（２）に示すように、第二の側片部２の封止用凸片２１を第一の側片部１の側に折り曲げる。そして、封止用凸片２１を接着材６の付着領域に押し付け、接着材６で封止用凸片２１と第一の側片部１とを接着する。これで、商品ｇが収容され、袋の口が塞がれた状態になる。
図５（２）に示すように、各側片部１，２の取っ手用開口４，５の上側の部位が取っ手となる。この取っ手の部分を握り、袋を持って運ぶことができる。尚、図５（２）に示すように、底片部３があるので、袋を広げた状態では、小売り袋は自立可能となる。
【００１８】
上記のような小売り袋は、例えばスーパーの食料品売り場において好適に用いることができる。野菜又は果物等の商品は、段ボール箱に詰められて仕入れられるが、従業員が箱から出してこの小売り袋に所定数詰め、上述したように封止用凸片２１で口を塞いで売り場に並べるようにする。
【００１９】
上記のような小売り袋は、市販の製袋機を使用して製造することができる。具体的には、第一の側片部１、第二の側片部２及び底片部３となるようにシートを切断する。この際、第一の側片部１となる部分と底片部３となる部分とが連続した状態となるよう切断するか、第二の側片部２となる部分と底片部３となる部分とが連続した状態となるよう切断する。
【００２０】
上記切断の際、第一の側片部１となる部分については予め第一の取っ手用開口４となる開口を形成しておく。また、第二の側片部２となる部分については、予め第二の取っ手用開口５となる開口を形成するとともに、接着材６を付着させ、さらに剥離紙７で覆っておく。これについては、接着材６の付着力が弱い性質の別のシートに接着材６を付着させて剥離紙７で覆っておき、剥離紙７ごと接着材６を移着させる方法が採用され得る。
【００２１】
このようにして切断したシートについて、第一の側片部１となるシートと第二の側片部２となるシートを貼り合わせ、第二の側片部２となる部分又は第一の側片部１となる部分を底片部３となる部分に貼り合わせれば、実施形態の小売り袋が完成する。
接着材６には、各側片部１，２の材質に対して十分な接着力を有するものが使用される。例えば各側片部１，２がポリプロピレン等であれば、接着材６としては、（株）ｍｏｒｅｓｃｏ（神戸市中央区）製の合成ゴム系のホットメルト接着材６ＰＢ−７０等が使用できる。尚、剥離誌７は、接着材６の付着領域よりも大きな形状であるように描かれているが、実際には、接着材６の付着領域と同じ寸法形状となっている。これは、接着材６と剥離紙７とを別のシート上において切断して成形する場合に好適であるためである。但し、接着材６の付着領域よりも剥離紙７を大きくする場合もある。尚、剥離紙７は、必ずしも紙製ではなく、樹脂製のシートが使用される場合もあり、「剥離シート」と表現すべき場合もある。
【００２２】
このような実施形態の小売り袋によれば、剥離紙７を剥がし、封止用凸片２１を折り曲げて貼り付けるという非常に簡単な作業で袋の口を塞ぐことができる。このため、作業が簡単であり、結束用のテープも必要ない。したがって、作業に要する人件費が安くなる他、資材コストも安くなる。その上、取っ手が形成されるので、売り場に並べられた際、顧客が手に取ってレジまで運ぶのが容易になる。
【００２３】
また、接着材６が第一の側片部１に付着しているので、剥離紙７が不用意に剥がれてしまうことがない。接着材６は、封止用凸片２１の側に付着していても良いが、この場合、剥離紙７も封止用凸片２１に対して貼り付けされた状態となる。封止用凸片２１は、突出している小さな部位であるので、フラフラと揺れやすく、弾みで剥離紙７が剥がれ易い。第一の側片部１に付着している場合、このような問題はない。
【００２４】
さらに、実施形態の小売り袋は、上述したように、接着材６の付着領域の大きさが封止用凸片２１の大きさに対して５０％以上９８％以下であるので、十分な封止強度が確保される一方、封止用凸片２１が多少ずれて貼り付けられてしまった場合でも、接着材６が露出して他の物にくっついてしまう煩わしさがない。
即ち、接着材６の付着領域の大きさが封止用凸片２１の５０％未満であると、封止強度が低下し、ちょっとした弾みで袋の口が開いてしまい易い。一方、接着材６の付着領域の大きさが封止用凸片２１の９８％を越えると、封止用凸片２１を折り曲げて貼り付ける際に僅かにずれただけでも接着材６がはみ出て露出した状態となってしまい、他の物に不用意にくっついてしまい易い。５０％以上９８％以下であれば、このような問題はない。
【００２５】
また、接着材６の付着領域の大きさが封止用凸片２１の６０％以上であると、より封止強度が増すので好適であり、７０％以上であるとさらに好適である。そして、接着材６の付着領域の大きさが封止用凸片２１の９５％以下であると、ずれが大きくなっても接着材６が露出することがないのでより好適であり、９０％以下であると、ずれがさらに大きくなっても接着材６が露出することがないのでさらに好適である。
【００２６】
上記実施形態では、小売り袋は底片部３を有し、自立可能であったが、底片部３が無いものであっても良く、自立可能でなくとも良い。
また、取っ手用開口４，５の形状は長円でなくともよく、横に長い長方形や横に長い楕円であっても良い。
小売り袋の材質としては、塩ビのようなビニールの他、ポリエチレン、ポリプロピレン、ポリエステル、ナイロン等の各種プラスチックや紙等も採用することができる。
【００２７】
小売り袋は、各商品の小売り用に用いることができ、生鮮食品の他、菓子、飲料、薬、日用品、雑貨等の小売りに使用することができる。また、一つのみの商品を入れて店頭に並べる場合もあり得る。一つのみの商品であっても、顧客が取っ手を持って持ち運ぶことができり利便性が重視されることがあるからである。
また、小売り袋の使用方法としては、顧客が売り場で商品を詰めるのに使用することもできる。例えば、鮮魚を売り場で顧客が袋詰めして買い物かごに入れる際に使用することができる。
【符号の説明】
【００２８】
１  第一の側片部
２  第二の側片部
２１  封止用凸片
３  底片部
４  第一の取っ手用開口
５  第二の取っ手用開口
６  接着材
７  剥離紙
【図１】
0003206546.tif 000003
【図２】
0003206546.tif 000004
【図３】
0003206546.tif 000005
【図４】
0003206546.tif 000006
【図５】
0003206546.tif 000007